(57)【要約】【課題】遠隔地に住む家族等の活動状況を適切に検出し、活動状況を送信する側から先方に機器の故障を確認することを促すことができる安心表示システムの実現。【解決手段】安心表示システムは、建物内に設置され利用者の活動を検出して検出信号を出力するセンサと、センサからの検出信号に基づいて利用者の活動の活発さを表す活動指数を算出し、ネットワークを介して遠隔地の受信側制御装置に送信する送信側制御装置と、受信した活動指数に応じた表示を行う表示装置を制御し、表示結果を表示完了信号としてネットワークを介して送信側制御装置へ送信する受信側制御装置と、を具備し、送信側制御装置は、受信側制御装置への活動指数の送信に対して表示装置にて正常に表示されなかった旨を含む表示完了信号を受信すると、受信側制御装置の設置場所への連絡を促す表示を行う連絡督促手段と、を具備する。【選択図】  図３
2010122915.tif 000002
【特許請求の範囲】
【請求項１】
建物内での人の活動を検出して検出信号を出力するセンサと、
前記センサからの検出信号に基づいて建物内での人の活動状況を活動指数として算出しネットワークを介して遠隔地の受信側制御装置に送信する送信側制御装置と、
前記送信側制御装置からネットワークを介して前記活動指数を受信すると、当該活動指数に応じて人が認知可能に表示する表示装置を制御するとともに、表示完了信号を送信側制御装置に返信する受信側制御装置と、を具備する安心表示システムであって、
前記送信側制御装置は、
前記センサからの検出信号から人の活動指数を算出する活動指数算出手段と、
前記活動指数算出手段が算出した活動指数を前記ネットワーク経由にて遠隔地に設置されている前記受信側制御装置へ送信するとともに、当該受信側制御装置から当該活動指数に対する表示完了信号を受信する通信制御手段と、
前記通信制御手段から受信側制御装置への活動指数の送信に対して前記表示装置にて正常に表示されなかった旨を含む表示完了信号を受信すると当該受信側制御装置の設置場所への連絡を促す表示を行う連絡督促手段と、
を具備することを特徴とした安心表示システム。
【請求項２】
前記受信側制御装置は、建物内を有人状態または無人状態に切り替えて有人信号または無人信号を出力する切替部を有し、
前記表示完了信号には、受信側制御装置の設置されている建物が有人状態か無人状態かの情報を更に含め、
前記連絡督促手段は、受信側制御装置が前記有人状態である場合に限り表示することを特徴とする請求項１に記載の安心表示システム。
【請求項３】
前記送信側制御装置は、建物内を有人状態または無人状態に切り替えて有人信号または無人信号を出力する切替部を有し、
前記連絡督促手段は、送信側制御装置および受信側制御装置の両方が前記有人状態である場合に限り表示することを特徴とする請求項２に記載の安心表示システム。
【発明の詳細な説明】
【技術分野】
【０００１】
本発明は、離れて暮らす家族等の様子を離れた場所でも感じることを可能にする安心表示システムに関し、特に離れて暮らす家族が相手の装置の故障を機会として、連絡を取り合うことを促すことができる安心表示システムに関する。
【背景技術】
【０００２】
従来、相手の存在情報を知る場合に、人の思考が中断されず、また、相手の存在感をリアルタイムで抱くことができ、しかも、相手の存在情報を知る場合に、人の手を煩わすことがないつながり感を伝える通信端末が提案されている（特許文献１）。
かかる従来の通信端末は、人の存在、動き、環境にかかる情報を各種センサにて検出し、検出したセンサ情報を遠隔地に所在する家族へ送信する。また、センサ情報を受信すると、センサ情報に基づいて照明・光ファイバの動作などの制御をするものである。通信端末は、センサが検出すると人の動き速度など単一の情報をそのまま、即座に先方へ送信している。
【特許文献１】特開２００２−３１４７０７号公報
【発明の開示】
【発明が解決しようとする課題】
【０００３】
しかし、従来のシステムでは、親元と一人暮らしの子供とのように離れている家族間でのつながりを感じることができるが、相手方が存在していないときと、装置が動作していないときを区別することができないという問題があった。また、従来のシステムでは、離れて暮らす家族間での会話を促す機会を与えることができなかった。
【０００４】
そこで、本発明は、機器の故障と人の活動していない状況を検出し、活動状況を送信する側から先方に機器の故障を確認することを促すことができる安心表示システムの実現を目的とする。
【課題を解決するための手段】
【０００５】
かかる課題を解決するために本発明は、建物内での人の活動を検出して検出信号を出力するセンサと、センサからの検出信号に基づいて建物内での人の活動状況を活動指数として算出しネットワークを介して遠隔地の受信側制御装置に送信する送信側制御装置と、送信側制御装置からネットワークを介して活動指数を受信すると当該活動指数に応じて人が認知可能に表示する表示装置を制御するとともに表示完了信号を送信側制御装置に返信する受信側制御装置と、を具備する安心表示システムであって、送信側制御装置は、センサからの検出信号から人の活動指数を算出する活動指数算出手段と、活動指数算出手段が算出した活動指数を前記ネットワーク経由にて遠隔地に設置されている前記受信側制御装置へ送信するとともに、当該受信側制御装置から当該活動指数に対する表示完了信号を受信する通信制御手段と、通信制御手段から受信側制御装置への活動指数の送信に対して表示装置にて正常に表示されなかった旨を含む表示完了信号を受信すると当該受信側制御装置の設置場所への連絡を促す表示を行う連絡督促手段と、を具備することを特徴とした安心表示システム、を提供する。
【０００６】
かかる構成によれば、送信した活動状況が先方で正常に表示されなかったことを送信側で把握し、活動状況を送信する側から先方に機器の故障を確認することを促すことで、積極的な連絡を取る機会を提供できる。
【０００７】
また、本発明においては、受信側制御装置は、建物内を有人状態または無人状態に切り替えて有人信号または無人信号を出力する切替部を有し、表示完了信号には受信側制御装置の設置されている建物が有人状態か無人状態かの情報を更に含め、連絡督促手段は、受信側制御装置が有人状態である場合に限り表示することが好ましい。
【０００８】
これにより、先方が有人状態で連絡がとりやすい状況にあるときに、送信側から先方へ連絡を取る機会を示すことが可能になる。
【０００９】
また、本発明においては、送信側制御装置は、建物内を有人状態または無人状態に切り替えて有人信号または無人信号を出力する切替部を有し、連絡督促手段は、送信側制御装置および受信側制御装置の両方が有人状態である場合に限り表示することが好ましい。
【００１０】
これにより、送信側が無人状態で先方へ連絡を取らない状況では、先方へ連絡を促す表示は行なわないことが可能になる。
【発明の効果】
【００１１】
本発明によれば、各種センサおよび切替部からの情報を組み合わせて算出した活動指数を伝達・表示させ、表示ができたか否かを送信側で確認するので、互いに離れて暮らす者の間で受信側機器の故障と相手の活動がない状態とを区別でき、機器故障の場合は送信側から相手方へ確認を取るように促すことができるので、互いに離れて暮らす者の間で積極的に連絡を取る機会を提供できる安心表示システムを提供することができる。
【発明を実施するための最良の形態】
【００１２】
以下、図１を参照して、本発明の実施形態の一例である安心表示システム１について説明する。また、図２を参照して安心表示システム１の各部の配置例を説明する。
【００１３】
安心表示システム１は、複数の安心表示ユニット２がネットワーク３を介して接続されてなる。
【００１４】
安心表示ユニット２の１つは、互いに離れて暮らしており相手の存在を感じていたい者のうちの一方が生活する建物内に設置され、別の安心表示ユニット２の１つは他方が生活する建物内に設置される。例えば、互いに離れて暮らす者とは、独居老人、独り暮らしの学生やОＬ、又は単身赴任者等と、その家族である。また、例えば、互いに離れて暮らす者とは遠距離恋愛中の男女である。
【００１５】
ネットワーク３は、インターネット等の広域通信網である。
【００１６】
安心表示ユニット２の１つが建物内の人の活動を検出し、検出結果を基に活動状況を表す活動指数を算出して別の安心表示ユニット２へ送信し、活動指数を受信した安心表示ユニット２が当該活動指数に応じた表示を行う。これにより互いに離れて暮らす者の間に、互いの生活を妨害することなく相手の存在を感じさせて、空間を超えた「つながり感」を提供する。
【００１７】
活動指数は、人の活動が活発であるほど高く算出される。本実施形態においては、活動がない場合の活動指数を０（基準値）、最も活発な場合の活動指数を５とし、６段階の活動指数が算出される。
【００１８】
安心表示ユニット２は、切替部４と、各種センサ５と、表示装置６とが制御装置７に接続されてなり、制御装置７はさらにネットワーク３に接続される。切替部４と制御装置７の接続形態、各種センサ５と制御装置７の接続形態は、それぞれ有線、無線のどちらでも良い。
【００１９】
切替部４（図中の「Ｂ」）は、建物内が有人状態であるか無人状態であるかを入力操作するスイッチである。切替部４は、建物の利用者により外出時及び帰宅時に操作され、有人状態に切り替わると有人信号を出力し、無人状態に切り替わると無人信号を出力する。図２の例では、切替部４が建物の玄関付近に設置されている。
尚、警備モード（無人状態）と警備解除モード（有人状態）を切り替えるモードスイッチを備えた警備装置を切替部４として利用することもできる。
又、人の存否を検知するセンサーやＲＦタグを利用して建物内が有人状態であるか無人状態であるかを判定して自動的に切り替えるようにしてもよい。
【００２０】
各種センサ５は、建物内での人の活動を検出して検出信号を出力するセンサである。各種センサ５は、各部屋に設置されて、人の活動の有無や人の居場所といった人の活動状況を検出する。また、各種センサ５には予め安全表示ユニット２内で個々を識別可能なセンサＩＤが付与されており、各種センサ５は検出信号に自己のセンサＩＤを含ませて出力する。
図中「Ｍ」は人の動きを検出する動きセンサである。各動きセンサは赤外線センサ又はマイクロ波センサなどで構成され、人の動きを検出すると検出信号を出力する。
図中「Ｌ」は建物内に設置されている照明装置の点消灯を検出する照明センサである。各照明センサは照度センサ又は電流検出器などで構成され、照明装置の点灯及び消灯を検出したときに検出信号を出力する。
図２の例では、動きセンサが玄関、寝室、居間、脱衣所に設置され、照明センサが玄関、寝室、居間、風呂に設置されている。
【００２１】
表示装置６は、遠隔地の建物における人の活動の様子を人が認知可能に表示する装置である。表示装置６は、複数のＬＥＤ（Ｌｉｇｈｔ  Ｅｍｉｔｔｉｎｇ  Ｄｉｏｄｅ）からなる発光部が透過性のカバーに覆われて構成される。
発光部は赤色５個、緑色７個、青色７個の計１９個のＬＥＤで構成される。ＬＥＤの点灯数を制御することにより光量が調整され、点灯させるＬＥＤの色の割合を制御することにより色温度が調整される。
カバーは、複数のＬＥＤからの光が混ざって拡散するように和紙、すりガラス、乳白色のプラスチックなどで構成する。
尚、発光部はＬＥＤに限らず、白熱灯、蛍光灯などで構成してもよい。白熱灯の場合は点灯数に代えて電圧を制御することによっても光量を調整することができる。
【００２２】
制御装置７は、切替部４及び各種センサ５からの信号を基に活動指数を算出して他の制御装置７へ送信し、その送信に対する表示可否を表示完了信号として受信し、その内容に応じた連絡督促の表示を行なう。また、制御装置７は、他の制御装置７からの活動指数を受信し、表示装置６を制御して活動指数に応じた表示を行わせる。
【００２３】
図３を参照して、制御装置７の構成を説明する。
【００２４】
制御装置７は、切替部Ｉ／Ｆ７１と、センサＩ／Ｆ７２と、ネットワークＩ／Ｆ７３と、記憶部７４と、通知部７６、操作部７７とが、制御部７５に接続されてなる。
【００２５】
切替部Ｉ／Ｆ７１は、切替部４と接続され、有人信号及び無人信号を制御部７５へ入力するインターフェース回路である。
【００２６】
センサＩ／Ｆ７２は、各種センサ５と接続され、検出信号を制御部７５へ入力するインターフェース回路である。
【００２７】
ネットワークＩ／Ｆ７３は、ネットワーク３と接続され、活動指数、表示完了信号等を送受信するインターフェース回路である。
【００２８】
記憶部７４は、ＲＯＭ、ＲＡＭ等のメモリ装置であり、各種プログラムや各種データを記憶し、制御部７５との間でこれらを入出力する。各種データには表示用テーブル７４１、重みテーブル７４２、現在の建物状態（不図示）が含まれる。
【００２９】
表示用テーブル７４１は、活動指数と表示装置による表示パターンとを対応付けたテーブルであり、予め設定される。表示パターンは、ＬＥＤの点灯数及び点灯させるＬＥＤの色の割合で表される。
図４は、表示用テーブル７４１を例示したものである。活動指数０に対しては全消灯の表示パターンが設定されている。以降、活動指数が高いほど点灯数の多い表示パターン、すなわち光量（単位；ｌｘ（ルクス））の高い表示パターンが設定されている。また、活動指数が高いほど緑色と青色の点灯割合が多く赤色の点灯割合が少ない表示パターン、すなわち色温度（単位；Ｋ（ケルビン））の高い表示パターンが設定されている。例えば、活動指数が５のときは１９個のＬＥＤが点灯し、そのうち赤色が５個（２８％）、緑色が７個（３６％）、青色が７個（３６％）の表示パターンとなる。
【００３０】
重みテーブル７４２は、各種センサ５により検出された人の活動と活動指数の基礎となる得点とを対応付けたテーブルであり、予め設定される。得点には、人の動きに着目した動き得点と、人の活動場所に着目した居場所得点の２種類が設定されている。
【００３１】
図５（ａ）は、最後に動きセンサから検出信号を受信してからの経過時間と、動き得点とを対応付けたテーブルである。動き得点は、経過時間が５分未満であれば３点、以降５分、７分が経過した時点で１点ずつ下がり、経過時間が１０分以上なら０点と設定されている。
動き得点は、経過時間が長くなるほど低くなるよう重み付けされている点に特徴がある。
【００３２】
図５（ｂ）は、各照明センサからの検出信号の受信により判定される人の居場所と、居場所得点を対応付けたテーブルである。寝室に設置された照明センサから照明装置の点灯が検出された場合の居場所得点は１点、同様に風呂なら２点、居間なら３点、廊下なら１点が設定されている。また、照明装置の消灯が検出された場合の居場所得点は、人の活動が無いとして部屋によらず０点が設定されている。
居場所得点は、部屋で専ら行われる活動の活発さを勘案して設定されている。例えば、寝室で行われる睡眠等は活発さが低いため最低点、居間で行われる趣味活動等は活発さが高いため最高点が設定されている。このように居場所得点は、部屋の役務に応じて重み付けされている点に特徴がある。
【００３３】
また、記憶部７４は、現在の建物状態を記憶し、切替部４から有人信号を受信すると有人状態に設定され、又は無人信号を受信すると無人状態に設定を更新される。
【００３４】
また、各制御装置７には、ネットワーク３において当該制御装置７を識別可能なＩＰアドレスが予め付与されている。記憶部７４には通信相手の制御装置７のＩＰアドレスが予め設定されている。通信相手の制御装置７とは離れて暮らす相手が生活する建物内に設置されている制御装置７である。
【００３５】
また、記憶部７４には、各種センサ５のセンサＩＤとセンサの種別との対応関係、さらに照明センサについてはセンサＩＤと設置場所（人の居場所に相当）との対応関係が予めテーブル化されて設定されている。以下、このテーブルをセンサテーブル（不図示）と称する。
【００３６】
通知部７６は、建物の利用者へ通信相手と連絡を取るように促す表示を行なう。例えば、液晶画面や専用ピクトグラム、専用ＬＥＤの点灯で示す。
【００３７】
操作部７７は、通知部７６に表示された通信相手と連絡を取るように促す表示を解除操作するスイッチである。建物の利用者は、通知部７６に表示された連絡督促表示を確認し、通信相手へ連絡をしたときや連絡をしたくないとき等、通知部７６に表示された通信相手と連絡を取るように促す表示を解除したい場合に操作部７７を操作する。
【００３８】
制御部７５は、ＤＳＰ、ＭＣＵ等の演算装置であり、活動指数算出手段７５１、通信制御手段７５２、表示制御手段７５３、連絡督促手段７５４、通知解除手段７５５等の動作を記述したプログラムを記憶部７４から読み出して実行することにより各手段として機能する。
また、制御部は不図示の計時手段を備え、現在時刻を取得したり、タイマーを利用したりすることができる。
【００３９】
活動指数算出手段７５１は、各種センサ５及び切替部４からの信号に基づいて建物内での人の活動状況を活動指数として算出し、算出した活動指数を通信制御手段７５２へ出力する。
具体的には、活動指数算出手段７５１は、切替部４から有人信号を受けているときは各種センサ５からの検出信号に基づいて活動指数を算出し、切替部４から無人信号を受けているときは活動指数を基準値（＝０）とする。
このように建物内が無人状態のときに活動指数を基準値とするので、照明装置を点灯したまま外出してしまったときなどに基準値を超える活動指数が算出されない。そのため、建物内における人の活動の実態に合致した活動指数を算出、伝達できる。
【００４０】
各種センサ５からの検出信号に基づく活動指数の算出は、重みテーブル７４２から各検出信号に対応する得点を選択し、選択された得点を合算することで行われる。
【００４１】
動きセンサからの検出信号に対応する動き得点の選択について説明する。
活動指数算出手段７５１は、動きセンサから検出信号を受信したときに受信時刻を記憶部７４に記憶させておき、現在時刻と受信時刻との差を経過時間として求め、経過時間に対応する動き得点を重みテーブル７４２から選択する。検出信号が動きセンサによるものか否かは、受信した検出信号に含まれるセンサＩＤと対応する種別をセンサテーブルから選択することで判定できる。
【００４２】
上述したように動き得点は経過時間が長いほど低く設定されているので、活動指数は人の動きの有を示す検出信号が受信されてからの時間経過とともに低くなるように算出される。逆に、短い時間間隔で検出信号が受信され続ける場合は高い動き得点が選択され続けるため、活動指数は高く維持される。
動きセンサが人の動きを検出しなくなっても、多くの場合、当該人は静止してその場で活動を続け、動きは断続的に検出される。そのため、人の動きを検出されなくなると直ちに活動指数を下げるのではなく、時間経過とともに緩やかに活動指数を下げることで、建物内における人の活動の実態に合致した活動指数を算出、伝達できる。
【００４３】
照明センサからの検出信号に対応する居場所得点の選択について説明する。
活動指数算出手段７５１は、照明センサから検出信号を受信したときに検出信号が表す照明装置の点灯状態を照明センサごとに記憶部７４に記憶させておき、各照明装置の点灯状態に対応する居場所得点を重みテーブル７４２から選択する。検出信号が照明センサによるものか否か、及び照明センサが点灯を検出した人の居場所は、受信した検出信号に含まれるセンサＩＤと対応する種別、及び設置場所をセンサテーブルから選択することで判定できる。
【００４４】
上述したように重みテーブル７４２には居場所ごとの活発さに応じた居場所得点が設定されているので、活動指数は、人の活動が活発なほど高く、活発でないほど低く算出される。
そのため、建物内における居場所に応じて人の活動の実態に合致した活動指数を算出、伝達できる。
【００４５】
通信制御手段７５２は、活動指数算出手段７５１により新たに活動指数が算出されたときに、算出された活動指数をネットワーク３経由にて遠隔地に設置されている通信相手の制御装置７へ送信する。すなわち通信制御手段７５２は、通信相手の制御装置７のＩＰアドレスを宛先とし算出された活動指数を同梱したパケットをネットワークＩ／Ｆ７３へ出力する。
【００４６】
また、通信制御手段７５２は、通信相手の制御装置７からの活動指数を受信して表示制御手段７５３へ出力する。すなわち通信制御手段７５２は、ネットワークＩ／Ｆ７３が受信したパケットを開梱して通信相手の制御装置７からのパケットと確認されれば、パケットから取得した活動指数を表示制御手段７５３へ出力する。
【００４７】
また、通信制御手段７５２は、表示制御手段７５３により表示完了信号が生成されたときに、生成された表示完了信号をネットワーク３経由にて遠隔地に設置されている通信相手の制御装置７へ送信する。すなわち通信制御手段７５２は、通信相手の制御装置７のＩＰアドレスを宛先とし生成された表示完了信号を同梱したパケットをネットワークＩ／Ｆ７３へ出力する。
【００４８】
また、通信制御手段７５２は、送信した活動指数の応答である表示完了信号を通信相手の制御装置７から受信して連絡督促手段７５４へ出力する。すなわち通信制御手段７５２は、ネットワークＩ／Ｆ７３が受信したパケットを開梱して通信相手の制御装置７からのパケットと確認されれば、パケットから取得した表示完了信号を連絡督促手段７５４へ出力する。
【００４９】
表示制御手段７５３は、表示装置６を制御して受信した活動指数に応じた表示を行わせる。すなわち表示制御手段７５３は、記憶部４の現在の建物状態が有人状態のとき、通信制御手段７５２から入力された活動指数に対応する表示パターンを表示用テーブル７４２から選択し、選択した表示パターンに応じた制御信号を表示装置６へ出力する。
上述したように表示装置６は活動指数の違いを光量や色温度の違いで表示するので、光の明滅や音、映像とは異なり過度に注意を惹きつけたり生活を妨害したり相手のプライバシーを侵害したりせず、遠隔地の建物における人の活動の様子をさりげなく表示できる。
また、表示装置６は３以上の段階で表示するので、人の活動による変化を視認させることができ、遠隔地の建物において人が活動していることを実感させることができる。
【００５０】
また、表示制御手段７５３は、表示装置６から表示制御の結果を受け取り、記憶部４の現在の建物状態と組み合わせて、「無人状態」「有人状態・表示成功」「有人状態・表示失敗」等の表示完了信号を生成する。
【００５１】
連絡督促手段７５４は、受信した表示完了信号に応じた表示を通知部７６に対して行う。すなわち連絡督促手段７５４は、通信制御手段７５２から表示完了信号が所定時間以内に受信できない場合、または、通信制御手段７５２から入力された表示完了信号を判定し、通信相手が有人状態にもかかわらず表示が失敗した場合に、通知部７６に通信相手と連絡を取るように促す表示を行なう。
【００５２】
表示完了信号を所定時間以内に受信できない場合、通信相手の制御装置７の故障が疑われる。また、表示完了信号を受信していても、有人状態で表示に失敗しているという内容の場合は、表示装置６の故障が疑われる。よって、通知部７６に表示し、機器の故障を機会として、通信相手への連絡を積極的に促すことができる。
【００５３】
通知解除手段７５５は、建物の利用者によって操作部７７が操作されると、それまで通知部７６に表示が保持されていた通信相手と連絡を取るように促す表示を解除する。
【００５４】
次に、図６を参照して安心表示システム１の動作を説明する。
【００５５】
制御装置７の制御部７５は、起動されるとまず各部、各手段を初期化する（Ｓ１）。活動指数は０に初期化される。また、活動指数の更新周期（例えば１分間）をセットしてタイマーをスタートさせる。初期化後、制御部７５はＳ２〜Ｓ１１の処理を繰り返し行う。
【００５６】
Ｓ２〜Ｓ９の処理が実行されるとき、制御装置７は送信側制御装置として動作し、当該制御装置が設置された建物内における人の活動指数を定期的に算出して送信する。
【００５７】
まず、制御部７５の活動指数算出手段７５１は、各種センサ５からの検出信号を受信しているか確認し（Ｓ２）、受信していればその受信記録を生成する（Ｓ３）。すなわち動きセンサのいずれかからの検出信号であれば受信時刻（動きセンサの別を問わない共通の記録）を記憶部７４に記憶させ、照明センサからの検出信号であれば検出された状態が点灯か消灯かを照明センサごとに記憶部７４に記憶させる。
【００５８】
次に、活動指数算出手段７５１は、タイマーを参照して更新時刻の到来を確認し（Ｓ４）、到来していれば活動指数の算出を行う（Ｓ５）。
【００５９】
図７を参照して活動指数算出処理の詳細を説明する。
【００６０】
まず、活動指数算出手段７５１は切替部４からの信号を確認し（Ｓ５０）、信号が無人状態を表す無人信号であれば活動指数を基準値の０とする（Ｓ５１）。
一方、信号が有人状態を表す有人信号であれば、活動指数算出手段７５１はＳ５２〜Ｓ６３の処理を実行して各種センサ５からの検出信号に応じた活動指数を算出する。
【００６１】
Ｓ５２〜Ｓ５５では、動きセンサからの検出信号に応じた活動指数が算出される。
すなわち、活動指数算出手段７５１は、図６のＳ３にて生成された受信記録の中に動きセンサの受信記録があるか確認し（Ｓ５２）、受信記録があれば現在時刻と受信時刻の差を経過時間として算出し（Ｓ５３）、経過時間に対応した動き得点を重みテーブル７４２から選択する（Ｓ５４）。一方、受信記録がない場合、活動指数算出手段７５１は動き得点を０とする（Ｓ５５）。
【００６２】
Ｓ５６〜Ｓ６０では、照明センサからの検出信号に応じた活動指数が算出される。
すなわち、活動指数算出手段７５１は、照明センサについてのループ処理を設定し（Ｓ５６，Ｓ６０）、各照明センサについて図６のＳ３にて生成された受信記録を参照して対応する部屋の照明装置が点灯しているか消灯しているかを判定し（Ｓ５７）、判定結果に対応した居場所得点を重みテーブル７４２から選択して（Ｓ５８）、選択した居場所得点を順次累積する（Ｓ５９）。
【００６３】
こうして全てのセンサ５について処理を終えると、活動指数算出手段７５１はＳ５４にて選択された動き得点とＳ５９にて算出された居場所得点の累積値を合算して活動指数を算出する（Ｓ６１）。このとき算出された活動指数が最大値の５を超えていれば（Ｓ６２−はい）、活動指数を５に修正する（Ｓ６３）。
【００６４】
図６に戻り、制御部７５の活動指数算出手段７５１は算出された活動指数を記憶部７４に記憶させ（Ｓ６）、制御部７５の通信制御手段７５２は算出された活動指数を通信相手の制御装置７へ送信する（Ｓ７）。活動指数はネットワーク３により通信相手の制御装置７に伝送される。そして、送信した活動指数に対する表示完了信号の受信時刻をセットしてタイマーをスタートさせ（Ｓ８）、連絡督促の制御を行なう（Ｓ９）。
【００６５】
図８を参照して連絡督促制御処理の詳細を説明する。
【００６６】
Ｓ８で設定したタイマーを参照して、表示完了信号の受信時刻の到来を確認し（Ｓ９１）、到来していれば（Ｓ９１−はい）、所定時間以内に表示完了信号を受信しなかったので、有人状態であれば（Ｓ９２−はい）、通知部７６に連絡督促の表示を行なう（Ｓ９３）。
所定時間以内に表示完了信号を受信すると（Ｓ９４−はい）、表示完了信号を判定し（Ｓ９５、Ｓ９６）、受信した表示完了信号が「有人状態・表示失敗」で通信相手が有人状態において表示に失敗した場合に（Ｓ９６−はい、「有人・失敗」）、有人状態であれば（Ｓ９２−はい）、通知部７６に連絡督促の表示を行なう（Ｓ９３）。受信した表示完了信号が「無人状態」及び「有人状態・表示成功」の場合は、通知部７６に連絡督促の表示をせずに処理を終了する。
【００６７】
図６に戻り、Ｓ１０〜Ｓ１１の処理が実行されるとき、制御装置７は受信側制御装置として動作し、遠隔地にて算出された活動指数を受信して表示を行う。
【００６８】
すなわち、制御部７５の表示制御手段７５３は、有人状態のときに、通信相手の制御装置７から活動指数を受信しているか確認し（Ｓ１０）、受信していれば受信した活動指数に応じた表示の制御を行なう（Ｓ１１）。
【００６９】
図９を参照して表示制御処理の詳細を説明する。
【００７０】
まず、記憶部４の現在の建物状態を参照して、有人状態かを確認し（Ｓ１１１）、有人状態であれば（Ｓ１１１−はい）、表示パターンを表示用テーブル７４１から選択して（Ｓ１１２）、選択した表示パターンに応じた制御信号を表示装置６へ出力する（Ｓ１１３）。表示装置６は発光部を制御信号に対応する表示パターンにて点灯させ、表示結果を表示制御手段７５３へ出力する。表示制御手段７５３は、表示装置６から得た表示結果が成功の場合（Ｓ１１４−はい）、表示完了信号として「有人状態・表示成功」を記憶部７４に記憶させる（Ｓ１１５）。表示装置６から得た表示結果が成功ではない場合（Ｓ１１４−いいえ）、表示完了信号として「有人状態・表示失敗」を記憶部７４に記憶させる（Ｓ１１６）。一方、無人状態の場合は（Ｓ１１１−いいえ）、表示完了信号として「無人状態」を記憶部７４に記憶させる（Ｓ１１７）。
【００７１】
制御部７５の通信制御手段７５２は表示完了信号を通信相手の制御装置７へ送信する（Ｓ１１８）。
【００７２】
以上の実施形態においては、送信側制御装置及び受信側制御装置の両方が有人状態の場合に、連絡督促表示を行なう例を示した。別の実施形態においては、送信側制御装置が有人状態か無人状態かにかかわらず連絡督促表示を行なう。
【図面の簡単な説明】
【００７３】
【図１】本発明の実施形態である安心表示システム１の構成例を示す図
【図２】安心表示システム１の各部の配置の一例を示す図
【図３】制御装置７の構成例を示す図
【図４】表示用テーブル７４１の一例を示す図
【図５】重みテーブル７４２の一例を示す図
【図６】安心表示システム１の動作例を示すフローチャート
【図７】活動指数算出手段７５１の動作例を示すフローチャート
【図８】連絡督促制御の処理例を示すフローチャート
【図９】表示制御の処理例を示すフローチャート
【符号の説明】
【００７４】
１・・・安心表示システム
２・・・安心表示ユニット
３・・・ネットワーク
４・・・切替部
５・・・各種センサ
６・・・表示装置
７・・・制御装置
７４・・・記憶部
７４１・・・表示用テーブル
７４２・・・重みテーブル
７５・・・制御部
７５１・・・活動指数算出手段
７５２・・・通信制御手段
７５３・・・表示制御手段
７５４・・・連絡督促手段
７５５・・・通知解除手段
７６・・・通知部
７７・・・操作部
【図１】
2010122915.tif 000003
【図２】
2010122915.tif 000004
【図３】
2010122915.tif 000005
【図４】
2010122915.tif 000006
【図５】
2010122915.tif 000007
【図６】
2010122915.tif 000008
【図７】
2010122915.tif 000009
【図８】
2010122915.tif 000010
【図９】
2010122915.tif 000011